(57)【要約】【課題】ＣＯＰの低下を抑制しつつ、供給空気の露点を低下させることにある。【解決手段】第２除湿ユニット（20）は、圧縮機構（22a,22b）と吸着剤が設けられた２つの吸着熱交換器（24a,24b,26a,26b）とが接続されて冷凍サイクルを行う２つの冷媒回路（21a,21b）を備える。各冷媒回路（21a,21b）では、冷媒の循環方向が切り換えられて２つの吸着熱交換器（24a,24b,26a,26b）で冷媒の凝縮動作と蒸発動作が交互に行われる。各冷媒回路（21a,21b）は、冷媒の蒸発温度が互いに異なるように設定される。各冷媒回路（21a,21b）の各一の吸着熱交換器（24a,24b,26a,26b）が一組となって吸着熱交換部を構成し、吸着熱交換部では蒸発動作時に空気が蒸発温度の高い第１冷媒回路（21a）の吸着熱交換器（24a,26a）から蒸発温度の低い第２冷媒回路（21b）の吸着熱交換器（24b,26b）の順に流れて除湿されるように構成される。【選択図】図３
2014109406.tif 000002
【特許請求の範囲】
【請求項１】
圧縮機構（22,22a,22b）と吸着剤が設けられて空気が通過する２つの吸着熱交換部とが接続され、冷媒が循環して冷凍サイクルを行う冷媒回路（21,21a,21b）と、該冷媒回路（21,21a,21b）における冷媒の循環方向を切り換えて、上記各吸着熱交換部で冷媒の凝縮動作と蒸発動作を交互に行わせる切換機構（23,23a,23b）とを備え、蒸発動作を行う上記吸着熱交換部を通過する際に除湿された空気を室内へ供給する除湿装置であって、
上記各吸着熱交換部は、蒸発動作時に、空気流れの入口側から出口側に向かって冷媒の蒸発温度が段階的に低くなるように構成されている
ことを特徴とする除湿装置。
【請求項２】
請求項１において、
上記各吸着熱交換部は、凝縮動作時に、冷媒の蒸発温度の高い側から低い側に向かって冷媒の凝縮温度が段階的に高くなるように構成されている
ことを特徴とする除湿装置。
【請求項３】
請求項１において、
上記各吸着熱交換部は、空気流れの向きが蒸発動作時と凝縮動作時とで反対となるように構成されている
ことを特徴とする除湿装置。
【請求項４】
請求項１乃至３の何れか１項において、
上記冷媒回路は、それぞれ、圧縮機構（22a,22b）と吸着剤が設けられた２つの吸着熱交換器（24a,24b,26a,26b）とが接続され、冷媒が循環して冷凍サイクルを行う複数の冷媒回路（21a,21b）であり、
上記切換機構（23a,23b）は、上記各冷媒回路（21a,21b）における冷媒の循環方向を切り換えて該冷媒回路（21a,21b）の上記２つの吸着熱交換器（24a,24b,26a,26b）で冷媒の凝縮動作と蒸発動作を交互に行わせ、
上記複数の冷媒回路（21a,21b）は、上記吸着熱交換器（24a,24b,26a,26b）の蒸発動作時の冷媒の蒸発温度が互いに異なるように構成され、
上記各吸着熱交換部は、上記複数の冷媒回路（21a,21b）の各一の吸着熱交換器（24a,24b,26a,26b）が一組となって構成されると共に、蒸発動作時に空気が上記一組となった複数の吸着熱交換器（24a,24b,26a,26b）を冷媒の蒸発温度の高い吸着熱交換器（24a,26a）から順に通過するように構成されている
ことを特徴とする除湿装置。
【請求項５】
請求項１乃至３の何れか１項において、
上記冷媒回路（21）は、吸着剤が設けられた２つの吸着熱交換器（24a,26a）を有し、一端が上記圧縮機構（22）の吐出側に他端が該圧縮機構（22）における圧縮途中の中間圧部分に接続された第１回路（2a）と、吸着剤が設けられた２つの吸着熱交換器（24b,26b）を有し、一端が上記圧縮機構（22）の吐出側に他端が該圧縮機構（22）の吸入側に接続された第２回路（2b）とを備え、
上記切換機構（23a,23b）は、上記第１回路（2a）および第２回路（2b）の冷媒の循環方向を切り換えて上記各回路（2a,2b）の上記２つの吸着熱交換器（24a,24b,26a,26b）で冷媒の凝縮動作と蒸発動作を交互に行わせ、
上記冷媒回路（21）は、上記第２回路（2b）における吸着熱交換器（24b,26b）の蒸発動作時の冷媒の蒸発温度が上記第１回路（2a）における吸着熱交換器（24a,26a）の蒸発動作時の冷媒の蒸発温度よりも低くなるように構成され、
上記各吸着熱交換部は、上記第１回路（2a）および第２回路（2b）の各一の吸着熱交換器（24a,24b,26a,26b）が一組となって構成されると共に、蒸発動作時に空気が上記第１回路（2a）の吸着熱交換器（24a,26a）、上記第２回路（2b）の吸着熱交換器（24b,26b）の順に通過するように構成されている
ことを特徴とする除湿装置。
【請求項６】
請求項１乃至３の何れか１項において、
上記冷媒回路（21）は、冷媒として非共沸混合冷媒が循環し、
上記各吸着熱交換部は、蒸発動作時に、空気が冷媒の出口側から入口側へ向かって通過するように構成されている
ことを特徴とする除湿装置。
【請求項７】
請求項４において、
上記各吸着熱交換部は、凝縮動作時に空気が上記一組となった複数の吸着熱交換器（24a,24b,26a,26b）を順に通過するように構成され、
上記複数の冷媒回路（21a,21b）のうち、凝縮動作を行う上記吸着熱交換部において空気が最後に通過する上記吸着熱交換器（24a,26a）が接続された冷媒回路（21a）は、上記圧縮機構（22a）の吐出側と上記吸着熱交換器（24a,26a）との間に接続され、凝縮動作を行う上記吸着熱交換部の上記複数の吸着熱交換器（24a,24b,26a,26b）を通過する空気が該通過前に冷媒と熱交換する加熱熱交換器（27）を有している
ことを特徴とする除湿装置。
【発明の詳細な説明】
【技術分野】
【０００１】
本発明は、吸着剤が設けられた吸着熱交換器を用いて室内の除湿を行う除湿装置に関するものである。
【背景技術】
【０００２】
従来から、吸着熱交換器を用いて室内の除湿を行う調湿装置が知られている。特許文献１には、この種の調湿装置として、吸着剤が担持された２つの吸着熱交換器を用いて室内の湿度を調節するものが開示されている。
【０００３】
上記調湿装置は、圧縮機と膨張機構と２つの吸着熱交換器とが接続されて冷凍サイクルを行う冷媒回路を有している。冷媒回路では、冷媒循環方向が所定時間毎に交互に切り換わることにより、２つの吸着熱交換器がそれぞれ蒸発器になる状態と凝縮器になる状態とに交互に切り換わる。また、２つの吸着熱交換器は、蒸発器となる際には、空気を冷媒によって冷却して空気中の水分を吸着剤に吸着させ、凝縮器となる際には、空気を冷媒によって加熱して吸着剤に吸着させた水分を空気中に放出させる。つまり、２つの吸着熱交換器は、蒸発器と凝縮器とに交互に切り換わることにより、空気中の水分を吸着剤に吸着させる吸着動作と、吸着剤に吸着した水分を空気中に放出して吸着剤を再生する再生動作とを交互に行う。そして、この調湿装置では、蒸発器として機能する吸着熱交換器を通過して除湿された空気が室内へ供給されることによって除湿運転が行われる。
【先行技術文献】
【特許文献】
【０００４】
【特許文献１】特開２００４−２９４０４８号公報
【発明の概要】
【発明が解決しようとする課題】
【０００５】
ところで、水分を嫌う製品を取り扱うために厳しい湿度管理が行われるドライクリーンルームなどでは、低露点の空気を供給することが求められる。そこで、上述した調湿装置では、図１３に示すように、蒸発器となる吸着熱交換器において冷媒の蒸発温度を低くすることにより、供給空気（出口空気）の露点を低くすることができる。しかしながら、冷媒の蒸発温度を低くすると、冷媒回路において蒸発温度と凝縮温度の差が大きくなるので、冷凍サイクルのＣＯＰ（成績係数）が低下するという問題があった。
【０００６】
本発明は、かかる点に鑑みてなされたものであり、その目的は、吸着剤が設けられた熱交換器を有する調湿装置において、ＣＯＰの低下を抑制しつつ、供給空気（除湿空気）の露点を低下させることにある。
【課題を解決するための手段】
【０００７】
第１の発明は、圧縮機構（22,22a,22b）と吸着剤が設けられて空気が通過する２つの吸着熱交換部とが接続され、冷媒が循環して冷凍サイクルを行う冷媒回路（21,21a,21b）と、該冷媒回路（21,21a,21b）における冷媒の循環方向を切り換えて、上記各吸着熱交換部で冷媒の凝縮動作と蒸発動作を交互に行わせる切換機構（23,23a,23b）とを備え、蒸発動作を行う上記吸着熱交換部を通過する際に除湿された空気を室内へ供給する除湿装置を対象としている。そして、上記各吸着熱交換部は、蒸発動作時に、空気流れの入口側から出口側に向かって冷媒の蒸発温度が段階的に低くなるように構成されているものである。
【０００８】
上記第１の発明では、切換機構（23,23a,23b）によって冷媒回路（21,21a,21b）の冷媒の循環方向が切り換わることで、２つの吸着熱交換部が凝縮器と蒸発器とに交互に切り換わる。蒸発器となった吸着熱交換部では、通過する空気に含まれる水分が吸着剤に吸着されて空気が除湿され、室内へ供給される。凝縮器となった吸着熱交換部では、加熱された吸着剤が空気へ水分を放出して再生する。
【０００９】
蒸発器となった吸着熱交換部では、冷媒の蒸発温度が空気の入口側から段階的に低くなっているので、空気の出口側の蒸発温度を空気が必要な露点になるように設定することにより、吸着熱交換部の全体の蒸発温度を一定に低くすることなく、必要な露点の空気を室内へ供給することが可能である。
【００１０】
第２の発明は、上記第１の発明において、上記各吸着熱交換部が、凝縮動作時に、冷媒の蒸発温度の高い側から低い側に向かって冷媒の凝縮温度が段階的に高くなるように構成されているものである。
【００１１】
上記第２の発明では、吸着熱交換部において凝縮温度が高い部分は吸着剤の再生能力が高い。そのため、蒸発器となった吸着熱交換部では、蒸発温度の最も低い側において吸着剤が最も再生しているので通過する空気の水分がより吸着剤に吸着される。つまり、蒸発器となった吸着熱交換部では蒸発温度の低い側において吸着剤の吸着能力が増加する。
【００１２】
第３の発明は、上記第１または第２の発明において、上記各吸着熱交換部が、空気流れの向きが蒸発動作時と凝縮動作時とで反対となるように構成されているものである。
【００１３】
上記第３の発明に係る吸着熱交換部は、蒸発器として機能する場合には空気の出口側（蒸発温度が最も低い側）であった部分が、凝縮器として機能する場合には空気の入口側となる。凝縮器となった吸着熱交換部では、空気の入口側を通過する空気が最も水分を含んでいないので、吸着剤から空気へ水分を放出しやすくなる。つまり、凝縮器となった吸着熱交換部では空気の入口側が最も吸着剤の再生能力が高くなる。その結果、蒸発器となった吸着熱交換部では蒸発温度の低い側（空気の出口側）において吸着剤の吸着能力が増加する。
【００１４】
第４の発明は、上記第１乃至第３の何れか１の発明において、上記冷媒回路は、それぞれ、圧縮機構（22a,22b）と吸着剤が設けられた２つの吸着熱交換器（24a,24b,26a,26b）とが接続され、冷媒が循環して冷凍サイクルを行う複数の冷媒回路（21a,21b）である。そして、上記切換機構（23a,23b）は、上記各冷媒回路（21a,21b）における冷媒の循環方向を切り換えて該冷媒回路の上記２つの吸着熱交換器で冷媒の凝縮動作と蒸発動作を交互に行わせるものである。また、上記複数の冷媒回路（21a,21b）は、上記吸着熱交換器（24a,24b,26a,26b）の蒸発動作時の冷媒の蒸発温度が互いに異なるように構成されている。そして、上記各吸着熱交換部は、上記複数の冷媒回路（21a,21b）の各一の吸着熱交換器（24a,24b,26a,26b）が一組となって構成されると共に、蒸発動作時に空気が上記一組となった複数の吸着熱交換器（24a,24b,26a,26b）を冷媒の蒸発温度の高い吸着熱交換器（24a,26a）から順に通過するように構成されているものである。
【００１５】
上記第４の発明では、例えば２つの冷媒回路（21a,21b）を備えている場合、一方の冷媒回路（21a）の蒸発温度が他方の冷媒回路（21b）の蒸発温度よりも高くなっており、蒸発温度の高い側の吸着熱交換器（24a,26a）から蒸発温度の低い側の吸着熱交換器（24b,26b）の順に空気が通過する。この場合、蒸発温度が最も低い冷媒回路（21b）の蒸発温度を空気が必要な露点になるように設定することにより、吸着熱交換部の全体の蒸発温度を一定に低くすることなく、必要な露点の空気を室内へ供給することが可能である。
【００１６】
第５の発明は、上記第１乃至第３の何れか１の発明において、上記冷媒回路（21）は、吸着剤が設けられた２つの吸着熱交換器（24a,26a）を有し、一端が上記圧縮機構（22）の吐出側に他端が該圧縮機構（22）における圧縮途中の中間圧部分に接続された第１回路（2a）と、吸着剤が設けられた２つの吸着熱交換器（24b,26b）を有し、一端が上記圧縮機構（22）の吐出側に他端が該圧縮機構（22）の吸入側に接続された第２回路（2b）とを備えている。そして、上記切換機構（23a,23b）は、上記第１回路（2a）および第２回路（2b）の冷媒の循環方向を切り換えて上記各回路（2a,2b）の上記２つの吸着熱交換器（24a,24b,26a,26b）で冷媒の凝縮動作と蒸発動作を交互に行わせるものである。また、上記冷媒回路（21）は、上記第２回路（2b）における吸着熱交換器（24b,26b）の蒸発動作時の冷媒の蒸発温度が上記第１回路（2a）における吸着熱交換器（24a,26a）の蒸発動作時の冷媒の蒸発温度よりも低くなるように構成されている。そして、上記各吸着熱交換部は、上記第１回路（2a）および第２回路（2b）の各一の吸着熱交換器（24a,24b,26a,26b）が一組となって構成されると共に、蒸発動作時に空気が上記第１回路（2a）の吸着熱交換器（24a,26a）、上記第２回路（2b）の吸着熱交換器（24b,26b）の順に通過するように構成されているものである。
【００１７】
上記第５の発明では、切換機構（23a,23b）によって第１回路（2a）および第２回路（2b）のそれぞれの冷媒の循環方向が切り換わることで、各回路（2a,2b）において２つの吸着熱交換器（24a,24b,26a,26b）が凝縮器と蒸発器とに交互に切り換わる。空気は、蒸発温度の高い側の第１回路（2a）の吸着熱交換器（24a,26a）から蒸発温度の低い側の第２回路（2b）の吸着熱交換器（24b,26b）へ通過して室内へ供給される。この場合、蒸発温度が低い第２回路（2b）の蒸発温度を空気が必要な露点になるように設定することにより、吸着熱交換部の全体の蒸発温度を一定に低くすることなく、必要な露点の空気を室内へ供給することが可能である。
【００１８】
第６の発明は、上記第１乃至第３の何れか１の発明において、上記冷媒回路（21）は、冷媒として非共沸混合冷媒が循環する。そして、上記各吸着熱交換部は、蒸発動作時に、空気が冷媒の出口側から入口側へ向かって通過するように構成されているものである。
【００１９】
上記第６の発明では、冷媒回路（21）において非共沸混合冷媒が循環し、且つ、吸着熱交換部では蒸発動作時に空気流れと冷媒流れとがいわゆる対向流となるので、蒸発器となる吸着熱交換部では蒸発温度が段階的に低くなり、空気が蒸発温度の高い側から低い側へ通過する。この場合も、吸着熱交換部の全体の蒸発温度を一定に低くすることなく、必要な露点の空気を室内へ供給することが可能である。
【００２０】
第７の発明は、上記第４の発明において、上記各吸着熱交換部は、凝縮動作時に空気が上記一組となった複数の吸着熱交換器（24a,24b,26a,26b）を順に通過するように構成されている。そして、上記複数の冷媒回路（21a,21b）のうち、凝縮動作を行う上記吸着熱交換部において空気が最後に通過する上記吸着熱交換器（24a,26a）が接続された冷媒回路（21a）は、上記圧縮機構（22a）の吐出側と上記吸着熱交換器（24a,26a）との間に接続され、凝縮動作を行う上記吸着熱交換部の上記複数の吸着熱交換器（24a,24b,26a,26b）を通過する空気が該通過前に冷媒と熱交換する加熱熱交換器（27）を有しているものである。
【００２１】
上記第７の発明では、加熱熱交換器（27）で加熱された空気が凝縮器の吸着熱交換器（24a,24b,26a,26b）へ流れるので、その吸着熱交換器（24a,24b,26a,26b）における吸着剤の再生能力が高くなる。そのため、蒸発器となった吸着熱交換器（24a,24b,26a,26b）では吸着剤の吸着能力が高くなり、空気の必要な露点をより確保しやすくなる。
【発明の効果】
【００２２】
以上説明したように、本発明によれば、蒸発動作時の吸着熱交換部において空気流れの入口側から出口側に向かって冷媒の蒸発温度が段階的に低くなるように構成したため、吸着熱交換部の全体において蒸発温度を一定に低くすることなく、必要な露点の空気（除湿空気）を室内へ供給することが可能である。吸着熱交換部の全体において蒸発温度を一定に低くしなくてもよいため、冷凍サイクルにおける蒸発温度と凝縮温度の差が大きくなるのを抑制することができる。そのため、圧縮機構（22,22a,22b）の入力が高くなるのを抑えることができ、冷凍サイクルのＣＯＰ（成績係数）の低下を抑制することができる。
【００２３】
また、吸着熱交換部では吸着剤に吸着される水分量には限界があるところ、仮に空気の出口側と同様に入口側も蒸発温度を低くした場合、吸着剤による吸着動作だけでは冷媒の冷熱を使い切れず、余った冷熱が空気の温度を低下させることに使われてしまう。つまり、蒸発器における冷熱が空気の潜熱処理だけでなく空気の顕熱処理に使われてしまう。ところが、本発明では、吸着熱交換部の空気の入口側では蒸発温度を低くしないため、むやみに顕熱処理を行って圧縮機構（22,22a,22b）の入力が高くなるのを抑えることができる。
【００２４】
また、吸着熱交換部に流入する空気（即ち、空気の入口側を流れる空気）は除湿される前であるため多くの水分を含んでいる。したがって、上述したように仮に空気の出口側と同様に入口側も蒸発温度を低くした場合、空気の温度が低下して結露が生じやすくなる。ところが、本発明では、吸着熱交換部の空気の入口側では蒸発温度を低くしないため、そのような結露の発生を抑制することもできる。
【００２５】
第２の発明によれば、吸着熱交換部において冷媒の蒸発温度の高い側から低い側に向かって冷媒の凝縮温度が段階的に高くなるように構成したため、蒸発器となった吸着熱交換部において蒸発温度の低い側の吸着剤の吸着能力を増加させることが可能である。その結果、蒸発器となった吸着熱交換部では、空気の出口側において水分がより多く吸着されて空気を必要な露点まで確実に低下させることができる。
【００２６】
第３の発明によれば、吸着熱交換部において空気流れの向きを蒸発動作時と凝縮動作時とで反対となるように構成したため、蒸発器となった吸着熱交換部では蒸発温度の低い側（空気の出口側）において吸着剤の吸着能力を増加させることができる。その結果、蒸発器となった吸着熱交換部では、空気の出口側において水分がより多く吸着されて空気を必要な露点まで確実に低下させることができる。
【００２７】
第７の発明によれば、複数の冷媒回路（21a,21b）のうち、凝縮動作を行う吸着熱交換部において空気が最後に通過する吸着熱交換器（24a,26a）が接続された冷媒回路（21a）において、圧縮機構（22a）の吐出側と吸着熱交換器（24a,26a）との間に加熱熱交換器（27）を設け、該加熱熱交換器（27）を通過した後の空気を凝縮動作を行う複数の吸着熱交換器（24a,24b,26a,26b）へ順に通過させるようにしたため、その吸着熱交換器（24a,24b,26a,26b）における吸着剤の再生能力を高めることができる。その結果、蒸発器となった吸着熱交換器（24a,24b,26a,26b）では吸着剤の吸着能力が高くなり、空気を必要な露点までより確実に低下させることができる。
【００２８】
また、空気が最後に通過する凝縮器の吸着熱交換器（24a,26a）では、通過する空気が上流側の吸着熱交換器（24b,26b）で既に加熱されて昇温しているため、空気を昇温するための必要熱量が少なくてすむ。そのため、空気が最後に通過する凝縮器の吸着熱交換器（24a,26a）が接続された冷媒回路（21a）では、余剰の熱量が発生し、その熱量を加熱熱交換器（27）に用いることにより、加熱熱交換器（27）で空気を十分に加熱して昇温させることが可能である。これによって、凝縮器の吸着熱交換器（24a,24b,26a,26b）を通過する前の空気を効果的に昇温させることができる。したがって、凝縮器の吸着熱交換器（24a,24b,26a,26b）における再生能力を効果的に高めることができ、その結果、蒸発器の吸着熱交換器（24a,24b,26a,26b）における吸着能力を効果的に高めることができる。
【図面の簡単な説明】
【００２９】
【図１】図１は、実施形態に係る調湿装置の全体構成を示す概略の構成図である。
【図２】図２は、実施形態に係る第１除湿ユニットの配管系統図である。
【図３】図３（Ａ）および（Ｂ）は、実施形態１に係る第２除湿ユニットの配管系統図である。
【図４】図４は、実施形態１に係る第２除湿ユニットの空気流れの切換態様を示す図である。
【図５】図５は、実施形態１に係る第２除湿ユニットのモリエル線図である。
【図６】図６（Ａ）および（Ｂ）は、実施形態１に係る第２除湿ユニットの空気の温度および絶対湿度の変化について説明するための図である。
【図７】図７（Ａ）および（Ｂ）は、実施形態１の変形例に係る第２除湿ユニットの配管系統図である。
【図８】図８（Ａ）および（Ｂ）は、実施形態２に係る第２除湿ユニットの配管系統図である。
【図９】図９は、実施形態２に係る第２除湿ユニットのモリエル線図である。
【図１０】図１０（Ａ）および（Ｂ）は、実施形態２に係る第２除湿ユニットの空気の温度および絶対湿度の変化について説明するための図である。
【図１１】図１１（Ａ）および（Ｂ）は、実施形態３に係る第２除湿ユニットの配管系統図である。
【図１２】図１２は、実施形態３に係る第２除湿ユニットの空気の絶対湿度の変化について説明するための図である。
【図１３】図１３は、従来の蒸発温度と空気の露点の関係を示す図である。
【発明を実施するための形態】
【００３０】
以下、本発明の実施形態について図面を参照しながら説明する。なお、以下の実施形態は、本質的に好ましい例示であって、本発明、その適用物、あるいはその用途の範囲を制限することを意図するものではない。
【００３１】
《実施形態１》
本発明の実施形態１について説明する。本実施形態は、室内（S）の湿度を調節する調湿装置（10）に関するものである。本実施形態において、湿度調整の対象となる室内（S）は、低露点空気が求められるリチウム電池の製造ラインに設けられるドライクリーンルームであり、調湿装置（10）は、室外空気（OA）を除湿して低露点の空気とし、この空気を給気（SA）として室内へ供給するように構成されている。
【００３２】
図１に示すように、調湿装置（10）は、室外と室内とを接続する給気通路（40）と、該給気通路（40）の中途部と室外とを接続する排気通路（50）とを備えている。この給気通路（40）と排気通路（50）によって空気通路が構成され、該空気通路には、第１除湿ユニット（60）と第２除湿ユニット（20）とが、室外空気の入口側から順に配置されている。２つの除湿ユニット（60,20）の詳細な構成については後述するが、第１除湿ユニット（60）は、後述する冷媒回路（70a）に接続された外気冷却熱交換器（61）を有して冷却除湿を行う（図２参照）。一方、第２除湿ユニット（20）は、本発明に係る除湿装置を構成しており、後述する２つの冷媒回路（21a,21b）に接続された吸着熱交換器（24a,24b,26a,26b）を有して吸着除湿を行う（図３参照）。
【００３３】
給気通路（40）は、流入端が室外に開口する一方、流出端が室内において開口している。給気通路（40）には、第１除湿ユニット（60）と、第２除湿ユニット（20）と、空気を室内へ搬送するための給気ファン（63）と、再熱熱交換器（64）とが、流入端から流出端に向かって順に設けられている。給気通路（40）は、室外空気（OA）を取り込み、第１除湿ユニット（60）および第２除湿ユニット（20）において除湿して給気（SA）として室内へ供給する。
【００３４】
排気通路（50）は、流入端が給気通路（40）の第１除湿ユニット（60）と第２除湿ユニット（20）との間に接続される一方、流出端が室外において開口している。排気通路（50）には、第２除湿ユニット（20）と、空気を室外へ放出するための排気ファン（66）とが設けられている。排気通路（50）は、給気通路（40）の一部の室外空気（OA）を取り込み、第２除湿ユニット（20）において吸着剤を再生させて排気（EA）として室外へ排出する。
【００３５】
〈第１除湿ユニットの構成〉
図２に示すように、第１除湿ユニット（60）は、１つの閉回路を冷媒が循環する一元冷凍サイクル式の冷媒回路（70a）を備えている。
【００３６】
冷媒回路（70a）には、圧縮機構（80）が接続されている。圧縮機構（80）は、ロータリー式、スイング式、スクロール式等の回転式流体機械である。圧縮機構（80）は、インバータ回路によって運転周波数が調節される可変容量式に構成されている。ここで説明した圧縮機構（80）の構成は、後述する第２除湿ユニット（20）の圧縮機構（22a,22b）についても同様である。
【００３７】
圧縮機構（80）の吐出側は、第１吐出ライン（71）と第２吐出ライン（72）とに分岐している。第１吐出ライン（71）には、上流側から下流側に向かって順に、再熱熱交換器（64）、および第１膨張弁（82）が接続されている。第２吐出ライン（72）には、上流側から下流側に向かって順に、凝縮圧力調整熱交換器（83）と第２膨張弁（84）とが接続されている。凝縮圧力調整熱交換器（83）の近傍には、室外空気を送風する室外ファン（85）が設けられている。
【００３８】
圧縮機構（80）の吸入側は、第１吸入ライン（73）と第２吸入ライン（74）とに分岐している。第１吸入ライン（73）には、外気冷却熱交換器（61）が接続されている。第２吸入ライン（74）には、上流側から下流側に向かって順に、第３膨張弁（87）と蒸発圧力調整熱交換器（88）とが接続されている。蒸発圧力調整熱交換器（88）の近傍には、室外空気を送風する室外ファン（89）が設けられている。
【００３９】
各吐出ライン（71,72）の流出端と各吸入ライン（73,74）の流入端との間には、１本の合流管（75）が接続されている。合流管（75）には、気液分離器（79）が設けられる。気液分離器（79）の気相部には、インジェクション管（76）の流入端が接続している。インジェクション管（76）の流出端は、圧縮機構（80）の吸入管に接続している。インジェクション管（76）には、第４膨張弁（91）が設けられる。
【００４０】
再熱熱交換器（64）および凝縮圧力調整熱交換器（83）は、冷媒が空気へ放熱して凝縮する凝縮器を構成する。外気冷却熱交換器（61）および蒸発圧力調整熱交換器（88）は、冷媒が空気から吸熱して蒸発する蒸発器を構成する。上述した各膨張弁（82,84,87,91）は、例えば電子膨張弁であり、冷媒の圧力を調整する減圧機構を構成している。
【００４１】
外気冷却熱交換器（61）は、フィンアンドチューブ式の熱交換器によって構成され、室外空気を冷却して除湿する。外気冷却熱交換器（61）の近傍には、ドレンパン（62）が設けられている（図１参照）。ドレンパン（62）は、例えば、外気冷却熱交換器（61）の下方に設けられて上面が開口する容器によって構成され、外気冷却熱交換器（61）で凝縮した水を回収する。
【００４２】
〈第２除湿ユニットの構成〉
図３に示すように、上記第２除湿ユニット（20）は、２つの冷媒回路（21a,21b）を備えている。第１冷媒回路（21a）は、圧縮機構（22a）と、四方切換弁（23a）と、第１吸着熱交換器（24a）と、膨張弁（25a）と、第３吸着熱交換器（26a）とが接続されて閉回路を構成している。第２冷媒回路（21b）は、圧縮機構（22b）と、切換機構である四方切換弁（23b）と、第２吸着熱交換器（24b）と、膨張弁（25b）と、第４吸着熱交換器（26b）とが接続されて閉回路を構成している。各冷媒回路（21a,21b）は、冷媒が循環して蒸気圧縮式の冷凍サイクルを行うように構成されている。
【００４３】
各吸着熱交換器（24a,24b,26a,26b）は、フィンアンドチューブ式の熱交換器の表面に高分子収着剤やＢ型シリカゲル等の吸着剤を担持させることによって形成されている。第１冷媒回路（21a）の四方切換弁（23a）は、第４ポートが圧縮機構（22a）の吐出側と、第２ポートが圧縮機構（22a）の吸入側と、第３ポートが第１吸着熱交換器（24a）の端部と、第１ポートが第３吸着熱交換器（26a）の端部とそれぞれ接続されている。第２冷媒回路（21b）の四方切換弁（23b）は、第４ポートが圧縮機構（22b）の吐出側と、第２ポートが圧縮機構（22b）の吸入側と、第３ポートが第２吸着熱交換器（24b）の端部と、第１ポートが第４吸着熱交換器（26b）の端部とそれぞれ接続されている。各四方切換弁（23a,23b）は、第１ポートと第２ポートとが連通し且つ第３ポートと第４ポートとが連通する第１状態（図３（Ａ）の状態）と、第１ポートと第４ポートとが連通し且つ第２ポートと第３ポートとが連通する第２状態（図３（Ｂ）の状態）とに切換可能に構成されている。
【００４４】
各四方切換弁（23a,23b）が第１状態に切り換わると、第１吸着熱交換器（24a）と第２吸着熱交換器（24b）が凝縮器として機能する一方、第３吸着熱交換器（26a）と第４吸着熱交換器（26b）が蒸発器として機能する。各四方切換弁（23a,23b）が第２状態に切り換わると、第１吸着熱交換器（24a）と第２吸着熱交換器（24b）が蒸発器として機能する一方、第３吸着熱交換器（26a）と第４吸着熱交換器（26b）が凝縮器として機能する。つまり、四方切換弁（23a,23b）は、各冷媒回路（21a,21b）の冷媒の循環方向を切り換えて、各冷媒回路（21a,21b）に設けられた２つの吸着熱交換器（24a,24b,26a,26b）で冷媒の凝縮動作と蒸発動作とを交互に行わせる切換機構を構成している。
【００４５】
第２除湿ユニット（20）では、２つの冷媒回路（21a,21b）の各一の吸着熱交換器（24a,24b,26a,26b）が一組となって吸着熱交換部を構成している。具体的には、同時に凝縮器または蒸発器となる第１吸着熱交換器（24a）と第２吸着熱交換器（24b）が一組となって吸着熱交換部を構成し、同時に凝縮器または蒸発器となる第３吸着熱交換器（26a）と第４吸着熱交換器（26b）が一組となって吸着熱交換部を構成する。
【００４６】
第１冷媒回路（21a）と第２冷媒回路（21b）とは、冷媒の蒸発温度が異なるように構成されている。具体的に、第２冷媒回路（21b）において蒸発器となる吸着熱交換器（24b,26b）の冷媒の蒸発温度は、第１冷媒回路（21a）において蒸発器となる吸着熱交換器（24a,26a）の冷媒の蒸発温度よりも低く設定されている。また、第１冷媒回路（21a）と第２冷媒回路（21b）とは、冷媒の凝縮温度が異なるように構成されている。具体的に、第２冷媒回路（21b）において凝縮器となる吸着熱交換器（24b,26b）の冷媒の凝縮温度は、第１冷媒回路（21a）において凝縮器となる吸着熱交換器（24a,26a）の冷媒の凝縮温度よりも高く設定されている。
【００４７】
第２除湿ユニット（20）では、蒸発器となる一組の吸着熱交換器（24a,24b,26a,26b）を給気通路（40）の室外空気（OA）が処理空気として通過し、該処理空気に含まれる水分が吸着熱交換器（24a,24b,26a,26b）の吸着剤に吸着されて処理空気が除湿される。また、第２除湿ユニット（20）では、凝縮器となる一組の吸着熱交換器（24a,24b,26a,26b）を排気通路（50）の室外空気（OA）が再生空気として通過し、吸着熱交換器（24a,24b,26a,26b）の吸着剤から水分が再生空気に放出されて該吸着剤が再生される。つまり、第２除湿ユニット（20）では、図４（Ａ）、（Ｂ）に示すように、一組の吸着熱交換器（24a,24b,26a,26b）が凝縮器と蒸発器とに交互に切り換わることに伴って、給気通路（40）の室外空気（OA）が蒸発器の吸着熱交換器（24a,24b,26a,26b）に流れ排気通路（50）の室外空気（OA）が凝縮器の吸着熱交換器（24a,24b,26a,26b）に流れるように、給気通路（40）および排気通路（50）の空気流れが切り換えられる。なお、図４（Ａ）は図３（Ａ）に示す状態に相当する空気流れを示し、図４（Ｂ）は図３（Ｂ）に示す状態に相当する空気流れを示す。
【００４８】
そして、蒸発器となる一組の吸着熱交換器（24a,24b,26a,26b）では、蒸発温度の高い第１冷媒回路（21a）の吸着熱交換器（24a,26a）から蒸発温度の低い第２冷媒回路（21b）の吸着熱交換器（24b,26b）の順に処理空気が通過するように構成される。つまり、一組の吸着熱交換器（24a,24b,26a,26b）で構成される各吸着熱交換部は、蒸発器となるとき（蒸発動作時）に、空気流れの入口側から出口側に向かって冷媒の蒸発温度が段階的に低くなるように構成されている。
【００４９】
また、凝縮器となる一組の吸着熱交換器（24a,24b,26a,26b）では、凝縮温度の高い第２冷媒回路（21b）の吸着熱交換器（24b,26b）から凝縮温度の低い第１冷媒回路（21a）の吸着熱交換器（24a,26a）の順に再生空気が通過するように構成される。そして、各吸着熱交換部は、凝縮器となるとき（凝縮動作時）に、冷媒の蒸発温度の高い側から低い側に向かって冷媒の凝縮温度が段階的に高くなるように構成されている。さらに、各吸着熱交換部は、空気流れの向きが蒸発動作時と凝縮動作時とで反対となるように構成されている。
【００５０】
なお、本実施形態では、第１および第２除湿ユニット（60,20）は、それぞれ除湿の好適な温度範囲が異なるように構成されている。具体的には、第１除湿ユニット（60）の外気冷却熱交換器（61）による冷却除湿は露点が約８℃以上の温度範囲で、第２除湿ユニット（20）の吸着熱交換器（22,24）による吸着除湿は露点が約１０℃〜−２０℃の温度範囲で用いるのに適するように構成されている。
【００５１】
〈センサ、コントローラ〉
調湿装置（10）には、各種センサと、該各種センサからの検出値に基づいて各種制御を行う制御部（100）とが設けられている。
【００５２】
図１に示すように、給気通路（40）には、空気の温度を検出する第１〜第３空気温度センサ（11〜13）と湿度センサ（14）とが設けられている。第１空気温度センサ（11）は、外気冷却熱交換器（61）の下流側に設けられて外気冷却熱交換器（61）を通過した空気の温度を検出する。第２空気温度センサ（12）および湿度センサ（14）は、第２除湿ユニット（20）の下流側に設けられ、蒸発器として機能する吸着熱交換器（24a,24b,26a,26b）を通過した空気の温度と相対湿度とをそれぞれ検出する。第３空気温度センサ（13）は、再熱熱交換器（64）の下流側に設けられ、再熱熱交換器（64）を通過した空気の温度を検出する。なお、図２に示すように、第１除湿ユニット（60）の冷媒回路（70a）には、該冷媒回路（70a）の高圧圧力（凝縮圧力）を検出する高圧圧力センサ（95）と、低圧圧力（蒸発圧力）を検出する低圧圧力センサ（96）とが設けられている。
【００５３】
制御部（100）は、上述した各種のセンサの検出値や、ユーザーによって入力される各種の設定値に基づいて、各冷媒回路（70a,21a,21b）における圧縮機構（80,22a,22b）の運転周波数、各膨張弁（82,84,87,91,25a,25b）の開度、各ファン（63,66）および各室外ファン（85,89）の送風量等を制御する。
【００５４】
−運転動作−
調湿装置（10）の運転動作について説明する。
【００５５】
〈第１除湿ユニットにおける動作〉
調湿装置（10）の運転時には、第１除湿ユニット（60）の冷媒回路（70a）において冷媒が循環して蒸気圧縮式の冷凍サイクルが行われる。このとき、第１膨張弁（82）および第４膨張弁（91）の開度は適宜調節され、第２膨張弁（84）と第３膨張弁（87）とが全閉状態となる。また、室外ファン（85）と室外ファン（89）とが停止状態となる。
【００５６】
圧縮機構（80）で圧縮された冷媒は、第１吐出ライン（71）に送られ、再熱熱交換器（64）を流れる。再熱熱交換器（64）では、冷媒が空気へ放熱して凝縮する。再熱熱交換器（64）で凝縮した冷媒は、第１膨張弁（82）で低圧まで減圧されて気液分離器（79）を通過し、第１吸入ライン（73）に送られる。なお、第１膨張弁（82）の開度は、圧縮機構（80）の吸入側の冷媒の過熱度によって制御される。
【００５７】
第１吸入ライン（73）に送られた冷媒は、外気冷却熱交換器（61）を流れる。外気冷却熱交換器（61）では、冷媒が空気から吸熱して蒸発する。外気冷却熱交換器（61）で蒸発した冷媒は、圧縮機構（80）に吸入されて圧縮される。
【００５８】
第１除湿ユニット（60）の冷媒回路（70a）では、調湿装置（10）の運転条件に応じて、以下のような制御動作が適宜実行される。
【００５９】
調湿装置（10）の運転時には、凝縮器（即ち、再熱熱交換器（64））の必要能力Ｑｃと、蒸発器（即ち、外気冷却熱交換器（61））の必要能力Ｑｅとが、第１空気温度センサ（11）と第３空気温度センサ（13）との検出温度に基づいて算出される。
【００６０】
凝縮器側の必要能力Ｑｃが、蒸発器側の必要能力Ｑｅよりも大きい場合、高圧圧力センサ（95）で検出された凝縮圧力が、必要能力Ｑｃに基づいて決定される目標凝縮圧力に到達するように、圧縮機構（80）の運転周波数が調節される。これにより、凝縮圧力を速やかに目標凝縮圧力に到達させて、必要能力Ｑｃを確保できる。
【００６１】
一方、凝縮圧力が目標値に至るように圧縮機構（80）を制御した場合、蒸発圧力が目標蒸発圧力を上回り、蒸発器側の必要能力Ｑｅが不足してしまうことがある。そこで、このような場合には、第２膨張弁（84）を所定の開度で開放させる。第２膨張弁（84）が開かれると、圧縮機構（80）の吐出側の冷媒は、第１吐出ライン（71）と第２吐出ライン（72）との双方を流れ、凝縮圧力調整熱交換器（83）においても冷媒が凝縮する。すると、圧縮機構（80）は、凝縮圧力を目標凝縮圧力に維持するように、運転周波数が大きくなる。その結果、蒸発圧力を低下させて目標の蒸発圧力に近づけることができる。
【００６２】
また、蒸発器側の必要能力Ｑｅが、凝縮器側の必要能力Ｑｃよりも大きい場合、低圧圧力センサ（96）で検出された蒸発圧力が、必要能力Ｑｅに基づいて決定される目標蒸発圧力に到達するように、圧縮機構（80）の運転周波数が調節される。これにより、蒸発圧力を速やかに目標蒸発圧力に到達させて、必要能力Ｑｅを確保できる。
【００６３】
一方、蒸発圧力が目標値に至るように圧縮機構（80）を制御した場合、凝縮圧力が目標凝縮圧力を下回り、凝縮器側の必要能力Ｑｃが不足してしまうことがある。そこで、このような場合には、第３膨張弁（87）を所定の開度で開放させる。第３膨張弁（87）が開かれると、圧縮機構（80）の吸入側の冷媒は、第１吸入ライン（73）と第２吸入ライン（74）との双方を流れ、蒸発圧力調整熱交換器（88）においても冷媒が蒸発する。すると、圧縮機構（80）は、蒸発圧力を目標蒸発圧力に維持するように、運転周波数が大きくなる。その結果、凝縮圧力を上昇させて目標の凝縮圧力に近づけることができる。
【００６４】
室外空気（OA）が給気通路（40）に流入する。この空気は、比較的高温高湿の空気である。給気通路（40）を流れる空気は、第１除湿ユニット（60）の外気冷却熱交換器（61）を通過し、該外気冷却熱交換器（61）の内部を流れる冷媒回路（70a）の冷媒によって冷却される。冷却時に空気中から発生した凝縮水は、ドレンパン（62）に回収される。第１動作中には、外気冷却熱交換器（61）で冷却および除湿された空気は、除湿側吸着熱交換器となっている第２吸着熱交換器（24）を通過する。
【００６５】
〈第２除湿ユニットにおける動作〉
第２除湿ユニット（20）の動作について図５も参照しながら説明する。なお、図５では、ａ１点〜ａ４点が第１冷媒回路（21a）について示し、ｂ１点〜ｂ４点が第２冷媒回路（21b）について示す。
【００６６】
第２除湿ユニット（20）には、第１除湿ユニット（60）の外気冷却熱交換器（61）で冷却および除湿された給気通路（40）の室外空気（OA）の一部が再生空気として残りが処理空気として第２除湿ユニット（20）に流れる。外気冷却熱交換器（61）では、冷却時に空気中から発生した凝縮水がドレンパン（62）に回収される。
【００６７】
調湿装置（10）の運転時には、第２除湿ユニット（20）の２つの冷媒回路（21a,21b）において冷媒が循環して蒸気圧縮式の冷凍サイクルが行われる。具体的には、圧縮機構（22a,22b）が運転され、膨張弁（25a,25b）が所定開度に制御され、四方切換弁（23a,23b）が所定時間おきに（例えば２７０秒間隔で）第１状態と第２状態とに交互に切り換えられる。
【００６８】
先ず、基本的な動作について説明する。各四方切換弁（23a,23b）が第１状態に切り換えられると、各圧縮機構（22a,22b）で圧縮された冷媒（図５に示すａ２点、ｂ２点）は、それぞれ、第１吸着熱交換器（24a）および第２吸着熱交換器（24b）に流れる。第１吸着熱交換器（24a）および第２吸着熱交換器（24b）では、冷媒によって吸着剤が加熱され、吸着剤中の水分が再生空気へ放出される再生動作が行われる。第１吸着熱交換器（24a）および第２吸着熱交換器（24b）で放熱して凝縮した冷媒（図５に示すａ３点、ｂ３点）は、それぞれ、膨張弁（25a,25b）で減圧された後、第３吸着熱交換器（26a）および第４吸着熱交換器（26b）に流れる（図５に示すａ４点、ｂ４点）。第３吸着熱交換器（26a）および第４吸着熱交換器（26b）では、処理空気に含まれる水分が吸着剤に吸着される吸着動作が行われ、その際に生じる吸着熱が冷媒に付与される。これにより、処理空気が除湿される。第３吸着熱交換器（26a）および第４吸着熱交換器（26b）で吸熱して蒸発した冷媒（図５に示すａ１点、ｂ１点）は、それぞれ、圧縮機構（22a,22b）に吸入される。
【００６９】
各四方切換弁（23a,23b）が第２状態に切り換えられると、各圧縮機構（22a,22b）で圧縮された冷媒（図５に示すａ２点、ｂ２点）は、それぞれ、第３吸着熱交換器（26a）および第４吸着熱交換器（26b）に流れる。第３吸着熱交換器（26a）および第４吸着熱交換器（26b）では、冷媒によって吸着剤が加熱され、吸着剤中の水分が再生空気へ放出される再生動作が行われる。第３吸着熱交換器（26a）および第４吸着熱交換器（26b）で放熱して凝縮した冷媒（図５に示すａ３点、ｂ３点）は、それぞれ、膨張弁（25a,25b）で減圧された後、第１吸着熱交換器（24a）および第２吸着熱交換器（24b）に流れる（図５に示すａ４点、ｂ４点）。第１吸着熱交換器（24a）および第２吸着熱交換器（24b）では、処理空気に含まれる水分が吸着剤に吸着される吸着動作が行われ、その際に生じる吸着熱が冷媒に付与される。これにより、処理空気が除湿される。第１吸着熱交換器（24a）および第２吸着熱交換器（24b）で吸熱して蒸発した冷媒（図５に示すａ１点、ｂ１点）は、それぞれ、圧縮機構（22a,22b）に吸入される。
【００７０】
以上のように、第２除湿ユニット（20）で除湿された処理空気は、引き続き給気通路（40）を流れ、再熱熱交換器（64）で温度が調整された後、給気（SA）として室内へ供給される。なお、室内（S）の空気の一部は、排気（EA）として室外へ排出される。一方、第２除湿ユニット（20）を通過した排気通路（50）の再生空気は、排気（EA）として室外へ排出される。
【００７１】
また、上記動作において、圧縮機構（22a,22b）は、制御部（100）により、吸着動作を行う吸着熱交換器（24a,24b,26a,26b）を通過した空気の湿度が所望の湿度となるように、運転周波数が制御される。具体的には、第２空気温度センサ（12）と湿度センサ（14）とによって吸着熱交換器（24a,24b,26a,26b）を通過した空気の温度Ｔ（℃）と相対湿度ＲＨ（％ＲＨ）とが検出され、制御部（100）に入力される。制御部（100）は、入力された温度Ｔと相対湿度ＲＨとに基づいて、絶対湿度Ｘ（ｇ／ｋｇ（ＤＡ））を算出する。そして、制御部（100）は、算出された絶対湿度Ｘが所望の湿度以下となるように、圧縮機（21）の運転周波数を制御する。これにより、室内（S）には、所望の絶対湿度以下（露点以下）の空気が供給されることとなる。
【００７２】
次に、一組の吸着熱交換器（24a,24b,26a,26b）における空気の温度および絶対湿度について図６を参照しながら説明する。
【００７３】
蒸発器となる一組の吸着熱交換器（24a,24b,26a,26b）では、蒸発温度の高い第１冷媒回路（21a）の吸着熱交換器（24a,26a）から蒸発温度の低い第２冷媒回路（21b）の吸着熱交換器（24b,26b）の順に処理空気が流れる。このとき、第１冷媒回路（21a）の吸着熱交換器（24a,26a）では、蒸発温度が高いため、冷媒による冷熱が優先的に処理空気の潜熱処理（吸着剤の吸着動作）に使われ、残った冷熱が処理空気の顕熱処理（温度変化）に使われる。そのため、第１冷媒回路（21a）の吸着熱交換器（24a,26a）では、処理空気の絶対湿度は大きく低下するが（図６（Ｂ）参照）、処理空気の温度はあまり低下しない（図６（Ａ）参照）。次に、第２冷媒回路（21b）の吸着熱交換器（24b,26b）では、処理空気に含まれる水分の量は少なくなっているものの、蒸発温度が低いため、吸着動作を行わせて処理空気の絶対湿度を所定の絶対湿度まで低下させることができる（図６（Ｂ）参照）。
【００７４】
凝縮器となる一組の吸着熱交換器（24a,24b,26a,26b）では、凝縮温度の高い第２冷媒回路（21b）の吸着熱交換器（24b,26b）から凝縮温度の低い第１冷媒回路（21a）の吸着熱交換器（24a,26a）の順に再生空気が流れる。このとき、第２冷媒回路（21b）の吸着熱交換器（24b,26b）では、凝縮温度が高いものの、吸着剤に含まれる水分の量が少ないため、冷媒による温熱は再生空気の潜熱処理（吸着剤の再生動作）にはあまり使われずに殆どが処理空気の顕熱処理（温度変化）に使われる。そのため、第２冷媒回路（21b）の吸着熱交換器（24b,26b）では、再生空気の絶対湿度はあまり上昇しないが（図６（Ｂ）参照）、再生空気の温度は大きく上昇する（図６（Ａ）参照）。次に、第１冷媒回路（21a）の吸着熱交換器（24a,26a）では、凝縮温度は低いが、吸着剤に含まれる水分の量が多いため、再生動作が促されて再生空気の絶対湿度が大きく上昇する（図６（Ｂ）参照）。
【００７５】
−実施形態１の効果−
本実施形態によれば、蒸発動作時の吸着熱交換部（一組の吸着熱交換器（24a,24b,26a,26b））において空気流れの入口側から出口側に向かって冷媒の蒸発温度が段階的に低くなるように構成したため、吸着熱交換部の全体において蒸発温度を一定に低くしなくても、空気の露点（絶対湿度）を必要な値まで低下させることが可能である。吸着熱交換部の全体において蒸発温度を一定に低くしなくてもよいため、冷凍サイクルにおける蒸発温度と凝縮温度の差が大きくなるのを抑制することができる。そのため、圧縮機構（22a,22b）の入力が高くなるのを抑えることができ、冷凍サイクルのＣＯＰ（成績係数）の低下を抑制することができる。
【００７６】
また、吸着熱交換部では吸着剤に吸着される水分量には限界があるところ、仮に空気の出口側と同様に入口側も蒸発温度を低くした場合、その空気の入口側（図１３に示すＸ領域）において、吸着剤による吸着動作（潜熱処理）だけでは冷媒の冷熱を使い切れず、余った冷熱が空気の温度を低下させること（顕熱処理）に使われてしまう。つまり、蒸発器における冷熱が空気の潜熱処理だけでなく空気の顕熱処理にも使われてしまう。ところが、本実施形態では、吸着熱交換部の空気の入口側（第１冷媒回路（21a）の吸着熱交換器（24a,26a））では蒸発温度を低くしないため、むやみに顕熱処理を行って圧縮機構（22a,22b）の入力が高くなるのを抑えることができる。
【００７７】
また、吸着熱交換部に流入する処理空気（即ち、空気の入口側を流れる空気）は除湿される前であるため多くの水分を含んでいる。したがって、上述したように仮に空気の出口側と同様に入口側も蒸発温度を低くした場合、空気の絶対湿度だけでなく温度も低下するため、空気の温度がその露点まで低下するおそれがある。そうすると、結露が生じやすくなる。ところが、本実施形態では、吸着熱交換部の空気の入口側では蒸発温度を低くしないため、空気の温度がその露点まで低下することを防止でき、結露の発生を抑制することもできる。
【００７８】
また、本実施形態によれば、吸着熱交換部（一組の吸着熱交換器（24a,24b,26a,26b））において冷媒の蒸発温度の高い側から低い側に向かって冷媒の凝縮温度が段階的に高くなるように構成した。吸着熱交換部において凝縮温度が高い部分は吸着剤の再生能力が高い。そのため、蒸発器となった吸着熱交換部では、蒸発温度の最も低い側において吸着剤が最も再生している（乾燥している）ので通過する処理空気の水分がより吸着剤に吸着される。つまり、蒸発器となった吸着熱交換部では蒸発温度の低い側において吸着剤の吸着能力が増加する。その結果、蒸発器となった吸着熱交換部では、空気の出口側において水分がより多く吸着されて空気の露点を必要な値まで確実に低下させることができる。
【００７９】
また、本実施形態によれば、吸着熱交換部（一組の吸着熱交換器（24a,24b,26a,26b））において空気流れの向きを蒸発動作時と凝縮動作時とで反対となるように構成した。吸着熱交換部において、蒸発器として機能する場合には空気の出口側（蒸発温度が最も低い側）であった部分が、凝縮器として機能する場合には空気の入口側となる。凝縮器となった吸着熱交換部では、空気の入口側を通過する空気が最も水分を含んでいないので、空気の入口側において再生動作が促進される。つまり、凝縮器となった吸着熱交換部において空気の入口側の吸着剤の再生能力が高くなる。その結果、蒸発器となった吸着熱交換部では蒸発温度の低い側（空気の出口側）において吸着剤の吸着能力が増加する。その結果、蒸発器となった吸着熱交換部では、空気の出口側において水分がより確実に吸着されて空気の露点を必要な値まで確実に低下させることができる。
【００８０】
−実施形態１の変形例−
本変形例は、図７に示すように、上記実施形態１の第２除湿ユニット（20）において加熱熱交換器（27）を追加するようにしたものである。加熱熱交換器（27）は、２つの冷媒回路（21a,21b）のうち、凝縮器となる吸着熱交換部において再生空気が最後に通過する第１吸着熱交換器（24a）および第３吸着熱交換器（26a）が接続された第１冷媒回路（21a）に設けられている。加熱熱交換器（27）は、第１冷媒回路（21a）において、圧縮機構（22a）の吐出側と四方切換弁（23a）の第４ポートとの間に接続され、冷媒と再生空気とが熱交換を行うように構成されている。
【００８１】
そして、本変形例では、再生空気が、先ず加熱熱交換器（27）を通過し、その後、凝縮器となる吸着熱交換部（一組の吸着熱交換器（24a,24b,26a,26b））を順に通過する。加熱熱交換器（27）では、再生空気が圧縮機構（22a）の圧縮冷媒と熱交換して加熱される。この変形例では、加熱された再生空気が第２冷媒回路（21b）の吸着熱交換器（24b,26b）に流れるため、該吸着熱交換器（24b,26b）における吸着剤の再生動作を促進することができる。そのため、蒸発器となった第２冷媒回路（21b）の吸着熱交換器（24b,26b）において吸着剤の吸着動作を促進することができ、その結果、処理空気の露点を必要な値までより確実に低下させることができる。
【００８２】
また、再生空気が最後に通過する吸着熱交換器（24a,26a）では、通過する再生空気が上流側の吸着熱交換器（24b,26b）で既に加熱されて昇温しているため、再生空気を昇温するための必要熱量が少なくてすむ。そのため、再生空気が最後に通過する吸着熱交換器（24a,26a）が接続された第１冷媒回路（21a）では、余剰の熱量が発生し、その熱量を加熱熱交換器（27）に用いることにより、加熱熱交換器（27）で再生空気を十分に加熱して昇温させることが可能になる。これによって、凝縮器となる吸着熱交換器（24a,24b,26a,26b）を通過する前の再生空気を効果的に昇温させることができる。したがって、凝縮器となる吸着熱交換器（24a,24b,26a,26b）における再生能力を効果的に高めることができ、その結果、蒸発器となる吸着熱交換器（24a,24b,26a,26b）における吸着能力を効果的に高めることができる。
【００８３】
《実施形態２》
本発明の実施形態２について説明する。本実施形態は、図８に示すように、上記実施形態１の第２除湿ユニット（20）の構成を変更したものである。
【００８４】
本実施形態の第２除湿ユニット（20）は、１つの冷媒回路（21）を備えている。冷媒回路（21）は、圧縮機構（22）と、２つの四方切換弁（23a,23b）と、４つの吸着熱交換器（24a,24b,26a,26b）と、２つの膨張弁（25a,25b）とを備えている。
【００８５】
第１の四方切換弁（23a）は、第４ポートが圧縮機構（22）の吐出側と、第２ポートが圧縮機構（22）における圧縮途中の中間圧部分（いわゆる中間ポート）と、第３ポートが第１吸着熱交換器（24a）と、第１ポートが第３吸着熱交換器（26a）とそれぞれ接続されている。第２の四方切換弁（23b）は、第４ポートが圧縮機構（22）の吐出側と、第２ポートが圧縮機構（22）の吸入側と、第３ポートが第２吸着熱交換器（24b）と、第１ポートが第４吸着熱交換器（26b）とそれぞれ接続されている。第１吸着熱交換器（24a）および第３吸着熱交換器（26a）の間および第２吸着熱交換器（24b）および第４吸着熱交換器（26b）の間にはそれぞれ膨張弁（25a,25b）が接続されている。冷媒回路（21）では、第１の四方切換弁（23a）と第１吸着熱交換器（24a）と第３吸着熱交換器（26a）と膨張弁（25a）が第１回路（2a）を構成し、第２の四方切換弁（23b）と第２吸着熱交換器（24b）と第４吸着熱交換器（26b）と膨張弁（25b）が第２回路（2b）を構成する。つまり、第１回路（2a）の一端は圧縮機構（22）の吐出側に接続され、他端は該圧縮機構（22）における圧縮途中の中間圧部分に接続されている。第２回路（2b）の一端は圧縮機構（22）の吐出側に接続され、他端は該圧縮機構（22）の吸入側に接続されている。
【００８６】
各四方切換弁（23a,23b）は、第１ポートと第２ポートとが連通し且つ第３ポートと第４ポートとが連通する第１状態（図８（Ａ）の状態）と、第１ポートと第４ポートとが連通し且つ第２ポートと第３ポートとが連通する第２状態（図８（Ｂ）の状態）とに切換可能に構成されている。各四方切換弁（23a,23b）が第１状態に切り換わると、第１吸着熱交換器（24a）と第２吸着熱交換器（24b）が凝縮器として機能する一方、第３吸着熱交換器（26a）と第４吸着熱交換器（26b）が蒸発器として機能する。各四方切換弁（23a,23b）が第２状態に切り換わると、第１吸着熱交換器（24a）と第２吸着熱交換器（24b）が蒸発器として機能する一方、第３吸着熱交換器（26a）と第４吸着熱交換器（26b）が凝縮器として機能する。つまり、四方切換弁（23a,23b）は、各回路（2a,2b）の冷媒の循環方向を切り換えて、各回路（2a,2b）に設けられた２つの吸着熱交換器（24a,24b,26a,26b）で冷媒の凝縮動作と蒸発動作とを交互に行わせる切換機構を構成している。
【００８７】
本実施形態の第２除湿ユニット（20）では、第１回路（2a）および第２回路（2b）のの各一の吸着熱交換器（24a,24b,26a,26b）が一組となって吸着熱交換部を構成している。具体的には、同時に凝縮器または蒸発器となる第１吸着熱交換器（24a）と第２吸着熱交換器（24b）が一組となって吸着熱交換部を構成し、同時に凝縮器または蒸発器となる第３吸着熱交換器（26a）と第４吸着熱交換器（26b）が一組となって吸着熱交換部を構成する。
【００８８】
第１回路（2a）と第２回路（2b）とは、冷媒の凝縮温度は同じであるが、冷媒の蒸発温度が異なるように構成されている。具体的に、第２回路（2b）において蒸発器となる吸着熱交換器（24b,26b）の冷媒の蒸発温度は、第１回路（2a）において蒸発器となる吸着熱交換器（24a,26a）の冷媒の蒸発温度よりも低く設定されている。
【００８９】
そして、蒸発器となる一組の吸着熱交換器（24a,24b,26a,26b）では、上記実施形態１と同様、蒸発温度の高い第１回路（2a）の吸着熱交換器（24a,26a）から蒸発温度の低い第２回路（2b）の吸着熱交換器（24b,26b）の順に処理空気が通過するように構成される。つまり、一組の吸着熱交換器（24a,24b,26a,26b）で構成される各吸着熱交換部は、蒸発器となるとき（蒸発動作時）に、空気流れの入口側から出口側に向かって冷媒の蒸発温度が段階的に低くなるように構成されている。また、一組の吸着熱交換器（24a,24b,26a,26b）で構成される各吸着熱交換部は、上記実施形態１と同様、空気流れの向きが蒸発動作時と凝縮動作時とで反対となるように構成されている。
【００９０】
本実施形態の第２除湿ユニット（20）では、第１回路（2a）および第２回路（2b）において冷媒が循環して蒸気圧縮式の冷凍サイクルが行われる。そして、上記実施形態１と同様、各四方切換弁（23a,23b）が所定時間おきに（例えば２７０秒間隔で）第１状態と第２状態とに交互に切り換えられる。
【００９１】
各四方切換弁（23a,23b）が第１状態に切り換えられると、圧縮機構（22）で圧縮された冷媒（図９に示すａ４点）は、一部が第１吸着熱交換器（24a）に流れ残りが第２吸着熱交換器（24b）に流れる。第１吸着熱交換器（24a）および第２吸着熱交換器（24b）では、冷媒によって吸着剤が加熱され、吸着剤中の水分が再生空気へ放出される再生動作が行われる。第１吸着熱交換器（24a）で放熱して凝縮した冷媒（図９に示すａ５点）は、膨張弁（25a）で減圧された後、第３吸着熱交換器（26a）に流れる（図９に示すａ６点）。一方、第２吸着熱交換器（24b）で放熱して凝縮した冷媒（図９に示すａ５点）は、膨張弁（25b）で減圧された後、第４吸着熱交換器（26b）に流れる（図９に示すａ７点）。第３吸着熱交換器（26a）および第４吸着熱交換器（26b）では、処理空気に含まれる水分が吸着剤に吸着される吸着動作が行われ、その際に生じる吸着熱が冷媒に付与される。これにより、処理空気が除湿される。第３吸着熱交換器（26a）で吸熱して蒸発した冷媒は、圧縮機構（22）において圧縮途中の冷媒（図９に示すａ２点）と合流して中間圧冷媒となる（図９に示すａ３点）。第４吸着熱交換器（26b）で吸熱して蒸発した冷媒（図９に示すａ１点）は、圧縮機構（22）に吸入される。
【００９２】
各四方切換弁（23a,23b）が第２状態に切り換えられると、圧縮機構（22）で圧縮された冷媒（図９に示すａ４点）は、一部が第３吸着熱交換器（26a）に流れ残りが第４吸着熱交換器（26b）に流れる。第３吸着熱交換器（26a）および第４吸着熱交換器（26b）では、冷媒によって吸着剤が加熱され、吸着剤中の水分が再生空気へ放出される再生動作が行われる。第３吸着熱交換器（26a）で放熱して凝縮した冷媒（図９に示すａ５点）は、膨張弁（25a）で減圧された後、第１吸着熱交換器（24a）に流れる（図９に示すａ６点）。一方、第４吸着熱交換器（26b）で放熱して凝縮した冷媒（図９に示すａ５点）は、膨張弁（25b）で減圧された後、第２吸着熱交換器（24b）に流れる（図９に示すａ７点）。第１吸着熱交換器（24a）および第２吸着熱交換器（24b）では、処理空気に含まれる水分が吸着剤に吸着される吸着動作が行われ、その際に生じる吸着熱が冷媒に付与される。これにより、処理空気が除湿される。第１吸着熱交換器（24a）で吸熱して蒸発した冷媒は、圧縮機構（22）において圧縮途中の冷媒（図９に示すａ２点）と合流して中間圧冷媒となる（図９に示すａ３点）。第２吸着熱交換器（24b）で吸熱して蒸発した冷媒（図９に示すａ１点）は、圧縮機構（22）に吸入される。
【００９３】
本実施形態の第２除湿ユニット（20）においても、基本的には上記実施形態１と同様、一組の吸着熱交換器（24a,24b,26a,26b）における空気の温度および絶対湿度は図１０に示すように変化する。つまり、蒸発器となる一組の吸着熱交換器（24a,24b,26a,26b）では、第１回路（2a）の吸着熱交換器（24a,26a）において処理空気の絶対湿度は大きく低下するが（図１０（Ｂ）参照）、処理空気の温度はあまり低下しない（図１０（Ａ）参照）。次に、第２回路（2b）の吸着熱交換器（24b,26b）では、処理空気に含まれる水分の量は少なくなっているものの、蒸発温度が低いため、吸着動作を行わせて処理空気の絶対湿度を所定の絶対湿度まで低下させることができる（図１０（Ｂ）参照）。
【００９４】
本実施形態では、吸着熱交換部（一組の吸着熱交換器（24a,24b,26a,26b））において冷媒の蒸発温度の高い側から低い側に向かって冷媒の凝縮温度が段階的に高くなるように構成したことによる作用効果以外は、上記実施形態１に係る作用効果と同様である。
【００９５】
《実施形態３》
本発明の実施形態３について説明する。本実施形態は、図１１に示すように、上記実施形態１の第２除湿ユニット（20）の構成を変更したものである。
【００９６】
本実施形態の第２除湿ユニット（20）は、１つの冷媒回路（21）を備えている。冷媒回路（21）は、圧縮機構（22）と、四方切換弁（23）と、２つの吸着熱交換器（24,26）と、膨張機構である膨張弁（25）とが接続されて、冷媒が循環して蒸気圧縮式の冷凍サイクルを行う。
【００９７】
四方切換弁（23）は、第４ポートが圧縮機構（22）の吐出側と、第２ポートが圧縮機構（22）の吸入側と、第３ポートが第１吸着熱交換器（24）と、第１ポートが第２吸着熱交換器（26）とそれぞれ接続されている。２つの吸着熱交換器（24,26）の間には膨張弁（25）が設けられている。四方切換弁（23）は、第１ポートと第２ポートとが連通し且つ第３ポートと第４ポートとが連通する第１状態（図１１（Ａ）の状態）と、第１ポートと第４ポートとが連通し且つ第２ポートと第３ポートとが連通する第２状態（図１１（Ｂ）の状態）とに切換可能に構成されている。四方切換弁（23）が第１状態に切り換わると、第１吸着熱交換器（24）が凝縮器として機能する一方、第２吸着熱交換器（26）が蒸発器として機能する。四方切換弁（23）が第２状態に切り換わると、第１吸着熱交換器（24）が蒸発器として機能する一方、第２吸着熱交換器（26）が凝縮器として機能する。つまり、四方切換弁（23）は、冷媒回路（21）の冷媒の循環方向を切り換えて、２つの吸着熱交換器（24,26）で冷媒の凝縮動作と蒸発動作とを交互に行わせる切換機構を構成している。本実施形態の第２除湿ユニット（20）では、第１吸着熱交換器（24）および第２吸着熱交換器（26）のそれぞれが吸着熱交換部を構成する。
【００９８】
そして、本実施形態の冷媒回路（21）では、冷媒として非共沸混合冷媒が用いられている。また、各吸着熱交換器（24,26）は、蒸発動作時に、冷媒の出口側から入口側へ向かって処理空気が通過するように構成されている（図１１参照）。つまり、各吸着熱交換器（24,26）では蒸発動作時に空気流れと冷媒流れとがいわゆる対向流となる。そのため、図１２に示すように、蒸発器となる吸着熱交換器（24,26）では冷媒流れの出口側から入口側に向かって蒸発温度が段階的に低くなり、凝縮器となる吸着熱交換器（24,26）では冷媒流れの入口側から出口側に向かって凝縮温度が段階的に低くなる。そして、蒸発器となる吸着熱交換器（24,26）では、上記実施形態１と同様、蒸発温度の高い側から蒸発温度の低い側の順に処理空気が通過する。つまり、各吸着熱交換部は、蒸発器となるとき（蒸発動作時）に、空気流れの入口側から出口側に向かって冷媒の蒸発温度が段階的に低くなる。また、凝縮器となる吸着熱交換器（24,26）では、凝縮温度の低い側から凝縮温度の高い側の順に再生空気が通過する。そして、各吸着熱交換部では、凝縮器となるとき（凝縮動作時）に、冷媒の蒸発温度の高い側から低い側に向かって冷媒の凝縮温度が段階的に低くなる。さらに、各吸着熱交換部は、上記実施形態１と同様、空気流れの向きが蒸発動作時と凝縮動作時とで反対となるように構成されている。
【００９９】
以上の構成により、本実施形態では、各吸着熱交換部において冷媒の蒸発温度の高い側から低い側に向かって冷媒の凝縮温度が段階的に高くなるように構成したことによる作用効果以外は、上記実施形態１と同様の作用効果を奏する。
【０１００】
《その他の実施形態》
例えば、上記第１実施形態では、第２除湿ユニット（20）の各吸着熱交換部について、凝縮器となるとき（凝縮動作時）に、冷媒の蒸発温度の高い側から低い側に向かって冷媒の凝縮温度が段階的に低くなるように構成してもよい。
【０１０１】
また、上記各実施形態では、第２除湿ユニット（20）の各吸着熱交換部について、空気流れの向きが蒸発動作時と凝縮動作時とで同じとなるように構成してもよい。
【産業上の利用可能性】
【０１０２】
本発明は、吸着剤が設けられた吸着熱交換器を用いて室内を除湿する除湿装置について有用である。
【符号の説明】
【０１０３】
２０      第２除湿ユニット（除湿装置）
２１，２１ａ，２１ｂ      冷媒回路
２２，２２ａ，２２ｂ      圧縮機構
２３，２３ａ，２３ｂ      四方切換弁（切換機構）
２４ａ，２４ｂ      吸着熱交換器（吸着熱交換部）
２６ａ，２６ｂ      吸着熱交換器（吸着熱交換部）
２７      加熱熱交換器
２ａ      第１回路
２ｂ      第２回路
【図１】
2014109406.tif 000003
【図２】
2014109406.tif 000004
【図３】
2014109406.tif 000005
【図４】
2014109406.tif 000006
【図５】
2014109406.tif 000007
【図６】
2014109406.tif 000008
【図７】
2014109406.tif 000009
【図８】
2014109406.tif 000010
【図９】
2014109406.tif 000011
【図１０】
2014109406.tif 000012
【図１１】
2014109406.tif 000013
【図１２】
2014109406.tif 000014
【図１３】
2014109406.tif 000015